【手続補正書】
【提出日】平成29年3月27日(2017.3.27)
【手続補正１】
【補正対象書類名】特許請求の範囲
【補正対象項目名】全文
【補正方法】変更
【補正の内容】
【特許請求の範囲】
【請求項１】
ＲＡＷ画像に対して現像処理を行い、第１の現像画像データを生成する第１の現像手段と、
ＲＡＷ画像データとして前記ＲＡＷ画像を記憶媒体に記録し、前記第１の現像画像データを前記記憶媒体に記録する記録手段と、
前記記憶媒体に記録された前記ＲＡＷ画像データを読み出して前記第１の現像手段が行う前記現像処理よりも処理負荷の高い現像処理を行い、第２の現像画像データを生成する第２の現像手段と、
前記第１の現像手段又は前記第２の現像手段により得られる画像データを再生する再生手段と
を備え、
前記ＲＡＷ画像は動画であって、
前記第２の現像手段は、画像処理装置が所定の動作状態のときに、前記ＲＡＷ画像データに含まれる複数のフレームの一部に対して現像処理を実行し、
前記再生手段は、前記動画のうち前記一部のフレームでは前記第２の現像手段によって得られた前記第２の現像画像データを再生し、その他の部分では前記第１の現像手段によって得られた前記第１の現像画像データを再生することを特徴とする画像処理装置。
【請求項２】
前記第２の現像手段は、前記第１の現像画像データの生成に使用されたＲＡＷ画像のうち所定部分のＲＡＷ画像に対応する、前記ＲＡＷ画像データに含まれるフレームについて前記処理負荷の高い現像処理を実行することを特徴とする請求項１に記載の画像処理装置。
【請求項３】
前記所定部分のＲＡＷ画像は、前記第１の現像画像データの生成に使用されたＲＡＷ画像のうち先頭から所定期間に含まれるＲＡＷ画像であることを特徴とする請求項２に記載の画像処理装置。
【請求項４】
前記所定期間は、前記画像処理装置が所定の動作状態にある場合の経過時間に応じて増加し、最終的には前記第１の現像画像データの全部の期間となることを特徴とする請求項３に記載の画像処理装置。
【請求項５】
前記再生手段は、
前記第１の現像画像データから再生動画を生成する生成手段と、
前記再生動画を表示部に表示させる表示制御手段と、
を含むことを特徴とする請求項１乃至４のいずれか１項に記載の画像処理装置。
【請求項６】
前記第１の現像画像データを圧縮符号化する圧縮手段を更に備え、
前記記録手段は、前記圧縮符号化された第１の現像画像データを前記記憶媒体に記録し、
前記所定のＲＡＷ画像は、前記第１の現像画像データの生成に使用されたＲＡＷ画像のうち２ｎ番目（ｎは整数）のＲＡＷ画像であり、
前記圧縮手段は、前記第２の現像手段が現像処理した前記２ｎ番目のＲＡＷ画像に対応する前記ＲＡＷ画像データに含まれるフレームについて、イントラ符号化、又は、インター符号化による符号化処理に基づく圧縮符号化を実行して第３の現像画像データを生成し、
前記記録手段は、前記第３の現像画像データを前記記憶媒体に更に記録し、
前記インター符号化では処理済みのイントラ符号化されたピクチャ及び前方予測にインター符号化されたピクチャを参照することを特徴とする請求項２に記載の画像処理装置。
【請求項７】
前記２ｎ番目のＲＡＷ画像について前記第３の現像画像データが生成された後に、
前記第２の現像手段は、前記第１の現像画像データの生成に使用されたＲＡＷ画像のうち２ｎ＋１番目（ｎは整数）のＲＡＷ画像に対応する前記ＲＡＷ画像データに含まれるフレームについて前記処理負荷の高い現像処理を更に実行し、
前記圧縮手段は、前記第２の現像手段が現像処理した前記２ｎ＋１番目のＲＡＷ画像に対応する前記フレームについてイントラ符号化、又は、インター符号化による符号化処理に基づく圧縮処理を実行し、前記第３の現像画像データと多重して第４の現像画像データを生成し、
前記記録手段は、前記第４の現像画像データを前記第３の現像画像データに上書きして前記記憶媒体に更に記録し、
前記２ｎ＋１番目のＲＡＷ画像に対応する前記フレームについての前記インター符号化では、該２ｎ＋１番目のＲＡＷ画像に対応する前記フレームに基づく処理済みのイントラ符号化されたピクチャ及び前方予測にインター符号化されたピクチャを参照することを特徴とする請求項６に記載の画像処理装置。
【請求項８】
前記２ｎ番目のＲＡＷ画像について前記第２の現像画像データが生成された後に、
前記第２の現像手段は、前記第１の現像画像データの生成に使用されたＲＡＷ画像のうち２ｎ＋１番目（ｎは整数）のＲＡＷ画像に対応する前記ＲＡＷ画像データに含まれるフレームについて前記処理負荷の高い現像処理を更に実行し、
前記圧縮手段は、前記第２の現像手段が現像処理した前記２ｎ＋１番目のＲＡＷ画像に対応する前記フレームについてインター符号化による符号化処理に基づく圧縮処理を実行し、前記第３の現像画像データと多重して第４の現像画像データを生成し、
前記記録手段は、前記第４の現像画像データを前記第３の現像画像データに上書きして前記記憶媒体に更に記録し、
前記２ｎ＋１番目のＲＡＷ画像に対応する前記フレームについての前記インター符号化では、前記第３の現像画像データに含まれるイントラ符号化されたピクチャ及び前方予測にインター符号化されたピクチャを参照する双方向予測による符号化ピクチャを生成することを特徴とする請求項６に記載の画像処理装置。
【請求項９】
前記画像処理装置のユーザーからの操作指示を受け付ける操作手段を更に備え、
前記第１の現像画像データは動画データであって、
前記再生手段は、
前記第１の現像画像データから再生動画を生成する生成手段と、
前記再生動画を表示部に表示させる表示制御手段と、
を含み、
前記表示部に前記再生動画が表示されている場合に、前記操作手段が一時停止の操作指示を受け付けた場合に表示を一時停止し、前記第２の現像手段は、一時停止に応じて前記表示部に表示されている画像に対応する前記ＲＡＷ画像データに含まれるフレームについて前記処理負荷の高い現像処理を実行して、前記第２の現像画像データを生成し、
前記表示制御手段は、一時停止された前記再生動画に替えて、前記第２の現像手段により生成された前記第２の現像画像データを前記表示部に表示させることを特徴とする請求項１に記載の画像処理装置。
【請求項１０】
前記操作手段が、前記一時停止された前記再生動画に替えて表示された前記第２の現像画像データのキャプチャ指示を受け付けた場合に、該第２の現像画像データを圧縮符号化して静止画データを生成する静止画生成手段を更に備え、
前記記録手段は、前記静止画データを前記記憶媒体に記録することを特徴とする請求項９に記載の画像処理装置。
【請求項１１】
表示部に前記記憶媒体に記録された画像データを一覧表示させる表示制御手段を更に備え、
前記一覧表示における各画像データの表示には、前記第１の現像手段及び第２の現像手段による現像処理に関連するステータス情報が含まれることを特徴とする請求項１乃至１０のいずれか１項に記載の画像処理装置。
【請求項１２】
被写体像を撮像してＲＡＷ画像を生成する撮像手段と、
請求項１乃至１１のいずれか１項に記載の画像処理装置と
を備える撮像装置。
【請求項１３】
ＲＡＷ画像に対して現像処理を行い、第１の現像画像データを生成する第１の現像手段と、
ＲＡＷ画像データとして前記ＲＡＷ画像を記憶媒体に記録し、前記第１の現像画像データを前記記憶媒体に記録する記録手段と、
前記記憶媒体に記録された前記ＲＡＷ画像データを読み出して前記第１の現像手段が行う前記現像処理よりも処理負荷の高い現像処理を行い、第２の現像画像データを生成する第２の現像手段と、
前記第１の現像手段又は前記第２の現像手段により得られる画像データを再生する再生手段とを備える画像処理装置の制御方法であって、
前記ＲＡＷ画像は動画であって、
前記第２の現像手段が、画像処理装置が所定の動作状態のときに、前記ＲＡＷ画像データに含まれる複数のフレームの一部に対して現像処理を実行する工程と、
前記再生手段が、前記動画のうち前記一部のフレームでは前記第２の現像手段によって得られた前記第２の現像画像データを再生し、その他の部分では前記第１の現像手段によって得られた前記第１の現像画像データを再生する工程と
を含むことを特徴とする画像処理装置の制御方法。
【請求項１４】
コンピュータを請求項１乃至１１のいずれか１項に記載の画像処理装置の各手段として機能させるためのプログラム。
【請求項１５】
ＲＡＷ画像に対して第１の現像処理を行い、第１の現像画像を生成する第１の現像手段と、
前記ＲＡＷ画像および前記第１の現像画像を記憶媒体に記録する記録手段と、
前記記憶媒体に記録されたＲＡＷ画像を読みだして前記第１の現像手段が行う前記第１の現像処理よりも処理負荷の高い第２の現像処理を行い、第２の現像画像を生成する第２の現像手段と、
前記ＲＡＷ画像が動画であって画像処理装置が所定の動作状態にある場合に、前記第２の現像手段に、前記ＲＡＷ画像に含まれる複数のフレームのうち先頭から予め決められた一部のフレームに対して前記第２の現像処理を実行させる制御手段と、
を有することを特徴とする画像処理装置。
【手続補正２】
【補正対象書類名】明細書
【補正対象項目名】００１０
【補正方法】変更
【補正の内容】
【００１０】
上記課題を解決するための本発明は、画像処理装置であって、
ＲＡＷ画像に対して現像処理を行い、第１の現像画像データを生成する第１の現像手段と、
ＲＡＷ画像データとして前記ＲＡＷ画像を記憶媒体に記録し、前記第１の現像画像データを前記記憶媒体に記録する記録手段と、
前記記憶媒体に記録された前記ＲＡＷ画像データを読み出して前記第１の現像手段が行う前記現像処理よりも処理負荷の高い現像処理を行い、第２の現像画像データを生成する第２の現像手段と、
前記第１の現像手段又は前記第２の現像手段により得られる画像データを再生する再生手段と
を備え、
前記ＲＡＷ画像は動画であって、
前記第２の現像手段は、画像処理装置が所定の動作状態のときに、前記ＲＡＷ画像データに含まれる複数のフレームの一部に対して現像処理を実行し、
前記再生手段は、前記動画のうち前記一部のフレームでは前記第２の現像手段によって得られた前記第２の現像画像データを再生し、その他の部分では前記第１の現像手段によって得られた前記第１の現像画像データを再生することを特徴とする。
【手続補正３】
【補正対象書類名】明細書
【補正対象項目名】００６１
【補正方法】変更
【補正の内容】
【００６１】
メタデータ部４０２には、この静止画ファイルの元となったＲＡＷファイルのファイル名の情報４０４が含まれる。また、この静止画ファイルが簡易現像部１１１によって簡易現像されたのか、又は高画質現像部１１２で高画質現像されたのかを示すフラグを含む現像ステータスの情報４０５が含まれる。また、元のＲＡＷファイルのメタデータから抽出された、評価値算出部１０５や認識部１３１で検知された評価値や被写体情報、及び、撮像光学部１０１や撮像センサー部１０２からの撮影時の情報を含む撮影メタデータ４０６が含まれる。